(57)【要約】  無線通信を行う際に必要な設定情報を生成する際に、不要な設定情報の生成を回避することを可能とする設定情報登録装置を提供する。  設定情報登録装置（１００）は、不特定の装置固有の識別情報を任意に収集し、その任意に収集した識別情報の中から特定の無線装置（ＳＴＡ）固有の識別情報を抽出する。そして、設定情報登録装置（１００）は、抽出した識別情報を基に、無線装置が無線通信を行う際に必要な設定情報を生成し、該生成した設定情報を、無線制御装置（２００、２０１、３００、３０１）に登録する。
2008015866.tif 000002
【特許請求の範囲】
【請求項１】
無線装置が無線通信を行う際に必要な設定情報を、前記無線装置の無線通信を制御する無線制御装置に登録する設定情報登録装置であって、
不特定の装置固有の識別情報を任意に収集する識別情報収集手段と、
前記識別情報収集手段により任意に収集した識別情報の中から特定の無線装置固有の識別情報を抽出する識別情報抽出手段と、
前記識別情報抽出手段により抽出した識別情報を基に、前記設定情報を生成し、該生成した設定情報を、前記無線制御装置に登録する設定情報登録手段と、
を有することを特徴とする設定情報登録装置。
【請求項２】
特定の無線装置固有の識別情報を特定するための抽出条件を管理する抽出条件管理手段を有し、
前記識別情報抽出手段は、
前記識別情報収集手段により任意に収集した識別情報の中から前記抽出条件に該当する識別情報を抽出し、特定の無線装置固有の識別情報を抽出することを特徴とする請求項１記載の設定情報登録装置。
【請求項３】
前記抽出条件を設定する抽出条件設定手段を有することを特徴とする請求項２記載の設定情報登録装置。
【請求項４】
前記抽出条件設定手段は、
前記設定情報登録装置と接続された通信装置から前記抽出条件を取得し、該取得した抽出条件を設定することを特徴とする請求項３記載の設定情報登録装置。
【請求項５】
電話番号を管理する電話番号管理手段を有し、
前記設定情報登録手段は、
前記識別情報抽出手段により抽出した識別情報と、前記電話番号管理手段に管理されている電話番号と、を基に、前記設定情報を生成することを特徴とする請求項１記載の設定情報登録装置。
【請求項６】
前記設定情報登録手段は、
前記電話番号管理手段に管理されている電話番号の中から任意の電話番号を選出し、該選出した任意の電話番号と、前記識別情報と、を基に、前記設定情報を生成することを特徴とする請求項５記載の設定情報登録装置。
【請求項７】
前記電話番号管理手段に管理されている電話番号の中から任意に選出した電話番号の情報を管理する選出電話番号管理手段を有し、
前記設定情報登録手段は、
前記選出電話番号管理手段に管理されている前記情報を基に、前記電話番号管理手段に管理されている電話番号の中から既に選出した電話番号以外の他の電話番号を選出し、該選出した電話番号と、前記識別情報と、を基に、前記設定情報を生成することを特徴とする請求項６記載の設定情報登録装置。
【請求項８】
前記選出電話番号管理手段に管理されている前記情報を削除する削除手段を有することを特徴とする請求項７記載の設定情報登録装置。
【請求項９】
前記設定情報の変更要求を受け付ける変更要求受付手段と、
前記変更要求を受け付けた場合に、新たな無線装置固有の識別情報を取得する新規識別情報取得手段と、
を有し、
前記設定情報登録手段は、
前記新規識別情報取得手段により取得した識別情報を基に、前記設定情報を生成し、該生成した設定情報を、前記無線制御装置に登録することを特徴とする請求項１記載の設定情報登録装置。
【請求項１０】
前記識別情報抽出手段により抽出した識別情報と、前記設定情報と、を関連づけて管理する設定情報管理手段と、
前記変更要求を受け付けた場合に、変更対象の無線装置固有の識別情報を取得する変更識別情報取得手段と、
を有し、
前記新規識別情報取得手段は、
前記変更識別情報取得手段により取得した識別情報が、前記設定情報管理手段に管理されている識別情報に該当する場合に、新たな無線装置固有の識別情報を取得することを特徴とする請求項９記載の設定情報登録装置。
【請求項１１】
前記無線制御装置は、
前記無線装置の無線通信を容認するか否かを判断する無線認証装置と、前記無線装置の音声通信を容認するか否かを判断する音声通信管理装置と、の少なくとも１つの制御装置であり、
前記認証情報登録手段は、
前記無線認証装置と、前記音声通信管理装置と、の少なくとも１つの制御装置に対し、前記設定情報を登録することを特徴とする請求項１記載の設定情報登録装置。
【請求項１２】
前記無線装置と前記無線認証装置との無線接続を容認するか否かを判断する際に使用するパスワードを生成するパスワード生成手段と、
前記無線装置が前記無線認証装置から認証許可を受け付ける際に使用するユーザＩＤを生成するユーザＩＤ生成手段と、
を有し、
前記設定情報登録手段は、
前記パスワードと前記ユーザＩＤとを含む前記設定情報を、前記無線認証装置に登録することを特徴とする請求項１１記載の設定情報登録装置。
【請求項１３】
無線装置と、前記無線装置の無線通信を制御する無線制御装置と、前記無線装置が無線通信を行う際に必要な設定情報を前記無線制御装置に登録する設定情報登録装置と、を有して構成する無線通信システムであって、
前記設定情報登録装置は、
不特定の装置固有の識別情報を任意に収集する識別情報収集手段と、
前記識別情報収集手段により任意に収集した識別情報の中から特定の無線装置固有の識別情報を抽出する識別情報抽出手段と、
前記識別情報抽出手段により抽出した識別情報を基に、前記設定情報を生成し、該生成した設定情報を、前記無線制御装置に登録する設定情報登録手段と、
を有することを特徴とする無線通信システム。
【請求項１４】
前記設定情報登録装置は、
前記特定の無線装置固有の識別情報を特定するための抽出条件を管理する抽出条件管理手段を有し、
前記識別情報抽出手段は、
前記識別情報収集手段により任意に収集した識別情報の中から前記抽出条件に該当する識別情報を抽出し、特定の無線装置固有の識別情報を抽出することを特徴とする請求項１３記載の無線通信システム。
【請求項１５】
前記設定情報登録装置は、
前記抽出条件を設定する抽出条件設定手段を有することを特徴とする請求項１４記載の無線通信システム。
【請求項１６】
前記抽出条件設定手段は、
前記設定情報登録装置と接続された通信装置から前記抽出条件を取得し、該取得した抽出条件を設定することを特徴とする請求項１５記載の無線通信システム。
【請求項１７】
前記設定情報登録装置は、
電話番号を管理する電話番号管理手段を有し、
前記設定情報登録手段は、
前記識別情報抽出手段により抽出した識別情報と、前記電話番号管理手段に管理されている電話番号と、を基に、前記設定情報を生成することを特徴とする請求項１３記載の無線通信システム。
【請求項１８】
前記設定情報登録手段は、
前記電話番号管理手段に管理されている電話番号の中から任意の電話番号を選出し、該選出した任意の電話番号と、前記識別情報と、を基に、前記設定情報を生成することを特徴とする請求項１７記載の無線通信システム。
【請求項１９】
前記設定情報登録装置は、
前記電話番号管理手段に管理されている電話番号の中から任意に選出した電話番号の情報を管理する選出電話番号管理手段を有し、
前記設定情報登録手段は、
前記選出電話番号管理手段に管理されている前記情報を基に、前記電話番号管理手段に管理されている電話番号の中から既に選出した電話番号以外の他の電話番号を選出し、該選出した電話番号と、前記識別情報と、を基に、前記設定情報を生成することを特徴とする請求項１８記載の無線通信システム。
【請求項２０】
前記設定情報登録装置は、
前記選出電話番号管理手段に管理されている前記情報を削除する削除手段を有することを特徴とする請求項１９記載の無線通信システム。
【請求項２１】
前記設定情報登録装置は、
前記設定情報の変更要求を受け付ける変更要求受付手段と、
前記変更要求を受け付けた場合に、新たな無線装置固有の識別情報を取得する新規識別情報取得手段と、
を有し、
前記設定情報登録手段は、
前記新規識別情報取得手段により取得した識別情報を基に、前記設定情報を生成し、該生成した設定情報を、前記無線制御装置に登録することを特徴とする請求項１３記載の無線通信システム。
【請求項２２】
前記設定情報登録装置は、
前記識別情報抽出手段により抽出した識別情報と、前記設定情報と、を関連づけて管理する設定情報管理手段と、
前記変更要求を受け付けた場合に、変更対象の無線装置固有の識別情報を取得する変更識別情報取得手段と、
を有し、
前記新規識別情報取得手段は、
前記変更識別情報取得手段により取得した識別情報が、前記設定情報管理手段に管理されている識別情報に該当する場合に、新たな無線装置固有の識別情報を取得することを特徴とする請求項２１記載の無線通信システム。
【請求項２３】
前記無線制御装置は、
前記無線装置の無線通信を容認するか否かを判断する無線認証装置と、前記無線装置の音声通信を容認するか否かを判断する音声通信管理装置と、の少なくとも１つの制御装置であり、
前記認証情報登録手段は、
前記無線認証装置と、前記音声通信管理装置と、の少なくとも１つの制御装置に対し、前記設定情報を登録することを特徴とする請求項１３記載の無線通信システム。
【請求項２４】
前記設定情報登録装置は、
前記無線装置と前記無線認証装置との無線接続を容認するか否かを判断する際に使用するパスワードを生成するパスワード生成手段と、
前記無線装置が前記無線認証装置から認証許可を受け付ける際に使用するユーザＩＤを生成するユーザＩＤ生成手段と、
を有し、
前記設定情報登録手段は、
前記パスワードと前記ユーザＩＤとを含む前記設定情報を、前記無線認証装置に登録することを特徴とする請求項２３記載の無線通信システム。
【請求項２５】
無線装置が無線通信を行う際に必要な設定情報を、前記無線装置の無線通信を制御する無線制御装置に登録する設定情報登録装置が行う設定情報登録方法であって、
不特定の装置固有の識別情報を任意に収集する識別情報収集工程と、
前記識別情報収集工程により任意に収集した識別情報の中から特定の無線装置固有の識別情報を抽出する識別情報抽出工程と、
前記識別情報抽出工程により抽出した識別情報を基に、前記設定情報を生成し、該生成した設定情報を、前記無線制御装置に登録する設定情報登録工程と、
を、前記設定情報登録装置が行うことを特徴とする設定情報登録方法。
【請求項２６】
前記設定情報登録装置は、
特定の無線装置固有の識別情報を特定するための抽出条件を管理する抽出条件管理手段を有し、
前記識別情報抽出工程は、
前記識別情報収集工程により任意に収集した識別情報の中から前記抽出条件に該当する識別情報を抽出し、特定の無線装置固有の識別情報を抽出することを特徴とする請求項２５記載の設定情報登録方法。
【請求項２７】
無線装置が無線通信を行う際に必要な設定情報を、前記無線装置の無線通信を制御する無線制御装置に登録する設定情報登録装置において実行させる設定情報登録プログラムであって、
不特定の装置固有の識別情報を任意に収集する識別情報収集処理と、
前記識別情報収集処理により任意に収集した識別情報の中から特定の無線装置固有の識別情報を抽出する識別情報抽出処理と、
前記識別情報抽出処理により抽出した識別情報を基に、前記設定情報を生成し、該生成した設定情報を、前記無線制御装置に登録する設定情報登録処理と、
を、前記設定情報登録装置に実行させることを特徴とする設定情報登録プログラム。
【請求項２８】
前記設定情報登録装置は、
特定の無線装置固有の識別情報を特定するための抽出条件を管理する抽出条件管理手段を有し、
前記識別情報抽出処理は、
前記識別情報収集処理により任意に収集した識別情報の中から前記抽出条件に該当する識別情報を抽出し、特定の無線装置固有の識別情報を抽出することを特徴とする請求項２７記載の設定情報登録プログラム。
【発明の詳細な説明】
【技術分野】
【０００１】
本発明は、無線通信を行う無線装置と、無線装置の無線通信を制御する無線制御装置と、無線装置が無線通信を行う際に必要な設定情報を無線制御装置に登録する設定情報登録装置と、を少なくとも有して構成する無線通信システムに関し、特に、設定情報登録装置において生成した設定情報を無線制御装置に登録することを可能とする設定情報登録装置、無線通信システム、設定情報登録方法及び設定情報登録プログラムに関するものである。
【背景技術】
【０００２】
一般的な無線通信システムは、図１に示すように、無線端末装置（ＳＴＡ’）と、無線基地局（ＡＰ’）と、無線ＬＡＮ認証サーバ装置（２００’）と、認証情報データベース（２０１’）と、音声通信管理サーバ装置（３００’）と、電話番号情報データベース（３０１’）と、を有して構成している。【０００３】
この図１に示す無線通信システムにおいて、無線端末装置（ＳＴＡ’）が無線通信を開始する場合には、無線端末装置（ＳＴＡ’）は、無線基地局（ＡＰ’）を介して無線ＬＡＮ認証サーバ装置（２００’）に接続し、無線端末装置（ＳＴＡ’）に設定されている設定情報を無線ＬＡＮ認証サーバ装置（２００’）に送信し、無線通信の接続要求を行うことになる。【０００４】
無線通信の接続要求を受け付けた無線ＬＡＮ認証サーバ装置（２００’）は、無線端末装置（ＳＴＡ’）から受信した設定情報と、認証情報データベース（２０１’）に登録されている認証情報と、を照合し、無線端末装置（ＳＴＡ’）から受信した設定情報が、認証情報データベース（２０１’）に登録されているか否かを判断し、無線端末装置（ＳＴＡ’）の認証処理を行うことになる。【０００５】
無線ＬＡＮ認証サーバ装置（２００’）は、無線端末装置（ＳＴＡ’）から受信した設定情報が、認証情報データベース（２０１’）に登録されていると判断した場合は、無線端末装置（ＳＴＡ’）に対し、認証許可通知を送信する。【０００６】
そして、無線端末装置（ＳＴＡ’）は、無線ＬＡＮ認証サーバ装置（２００’）から認証許可通知を受信したと判断した場合に、無線端末装置（ＳＴＡ’）の無線通信の接続を確立し、無線通信を開始することになる。【０００７】
また、無線端末装置（ＳＴＡ’）が音声通信を開始する場合には、無線端末装置（ＳＴＡ’）は、無線基地局（ＡＰ’）を介して音声通信管理サーバ装置（３００’）に接続し、無線端末装置（ＳＴＡ’）に設定されている設定情報を音声通信管理サーバ装置（３００’）に送信し、音声通信の接続要求を行うことになる。【０００８】
音声通信の接続要求を受け付けた音声通信管理サーバ装置（３００’）は、無線端末装置（ＳＴＡ’）から受信した設定情報と、電話番号情報データベース（３０１’）に登録されている電話番号情報と、を照合し、無線端末装置（ＳＴＡ’）から受信した設定情報が、電話番号情報データベース（３０１’）に登録されているか否かを判断し、無線端末装置（ＳＴＡ’）の接続処理を行うことになる。【０００９】
音声通信管理サーバ装置（３００’）は、無線端末装置（ＳＴＡ’）から受信した設定情報が、電話番号情報データベース（３０１’）に登録されていると判断した場合は、無線端末装置（ＳＴＡ’）に対し、接続許可通知を送信する。【００１０】
そして、無線端末装置（ＳＴＡ’）は、音声通信管理サーバ装置（３００’）から接続許可通知を受信したと判断した場合に、無線端末装置（ＳＴＡ’）の音声通信の接続を確立し、音声通信を開始することになる。【００１１】
なお、上述した図１に示す無線通信システムにおいて、無線通信を行う無線端末装置（ＳＴＡ’）を大量に導入する場合には、各無線端末装置（ＳＴＡ’）が無線通信を行う際に必要な上述した設定情報を無線端末装置（ＳＴＡ’）毎に管理者が作成し、その無線端末装置（ＳＴＡ’）毎に作成した設定情報を、認証情報データベース（２０１’）と、電話番号情報データベース（３０１’）と、に個別に設定する必要があった。【００１２】
このため、無線通信を行う無線端末装置（ＳＴＡ’）を大量に導入する場合には、人為的な操作を行う必要があるため、導入コストが割高になってしまう要因となっていたのが現状である。【００１３】
このため、無線通信を行う無線端末装置（ＳＴＡ’）を大量に導入する際に、導入コストの低減を図るべく、無線端末装置（ＳＴＡ’）が無線通信を行う際に必要な設定情報を、認証情報データベース（２０１’）と、電話番号情報データベース（３０１’）と、に自動的に登録することが可能なシステムの開発が必要視されることになる。【００１４】
なお、本発明より先に出願された技術文献として、使用者が複雑な登録作業を意識せずに使用することが可能な無線通信接続管理サーバについて開示された文献がある（例えば、特許文献１参照）。【００１５】
また、暗号キーが初期設定のままの状態で利用されてもセキュリティを維持することを可能とする暗号キー設定システムについて開示された文献がある（例えは、特許文献２参照）。【００１６】
また、単純なデータ設定でＩＰ電話機の電話番号を自動的に採番できる利便性の高いゲートキーパ装置が開示された文献がある（例えば、特許文献３参照）。
【特許文献１】特開２００４−２６４９７６号公報
【特許文献２】特開２００３−１１０５４３号公報
【特許文献３】特開２００４−１４７１０１号公報
【発明の開示】
【発明が解決しようとする課題】
【００１７】
しかしながら、上記特許文献１〜３には、無線通信を行う際に必要な設定情報を生成する際に、不要な設定情報の生成を回避する点については何ら考慮されたものではない。【００１８】
本発明は、上記事情に鑑みてなされたものであり、上述した課題である、無線通信を行う際に必要な設定情報を生成する際に、不要な設定情報の生成を回避することを可能とする設定情報登録装置、無線通信システム、設定情報登録方法及び設定情報登録プログラムを提供することを目的とするものである。
【課題を解決するための手段】
【００１９】
かかる目的を達成するために、本発明は、以下の特徴を有することとする。【００２０】
＜設定情報登録装置＞
本発明にかかる設定情報登録装置は、
無線装置が無線通信を行う際に必要な設定情報を、前記無線装置の無線通信を制御する無線制御装置に登録する設定情報登録装置であって、
不特定の装置固有の識別情報を任意に収集する識別情報収集手段と、
前記識別情報収集手段により任意に収集した識別情報の中から特定の無線装置固有の識別情報を抽出する識別情報抽出手段と、
前記識別情報抽出手段により抽出した識別情報を基に、前記設定情報を生成し、該生成した設定情報を、前記無線制御装置に登録する設定情報登録手段と、
を有することを特徴とする。【００２１】
＜無線通信システム＞
また、本発明にかかる無線通信システムは、
無線装置と、前記無線装置の無線通信を制御する無線制御装置と、前記無線装置が無線通信を行う際に必要な設定情報を前記無線制御装置に登録する設定情報登録装置と、を有して構成する無線通信システムであって、
前記設定情報登録装置は、
不特定の装置固有の識別情報を任意に収集する識別情報収集手段と、
前記識別情報収集手段により任意に収集した識別情報の中から特定の無線装置固有の識別情報を抽出する識別情報抽出手段と、
前記識別情報抽出手段により抽出した識別情報を基に、前記設定情報を生成し、該生成した設定情報を、前記無線制御装置に登録する設定情報登録手段と、
を有することを特徴とする。【００２２】
＜設定情報登録方法＞
また、本発明にかかる設定情報登録方法は、
無線装置が無線通信を行う際に必要な設定情報を、前記無線装置の無線通信を制御する無線制御装置に登録する設定情報登録装置が行う設定情報登録方法であって、
不特定の装置固有の識別情報を任意に収集する識別情報収集工程と、
前記識別情報収集工程により任意に収集した識別情報の中から特定の無線装置固有の識別情報を抽出する識別情報抽出工程と、
前記識別情報抽出工程により抽出した識別情報を基に、前記設定情報を生成し、該生成した設定情報を、前記無線制御装置に登録する設定情報登録工程と、
を、前記設定情報登録装置が行うことを特徴とする。【００２３】
＜設定情報登録プログラム＞
また、本発明にかかる設定情報登録プログラムは、
無線装置が無線通信を行う際に必要な設定情報を、前記無線装置の無線通信を制御する無線制御装置に登録する設定情報登録装置において実行させる設定情報登録プログラムであって、
不特定の装置固有の識別情報を任意に収集する識別情報収集処理と、
前記識別情報収集処理により任意に収集した識別情報の中から特定の無線装置固有の識別情報を抽出する識別情報抽出処理と、
前記識別情報抽出処理により抽出した識別情報を基に、前記設定情報を生成し、該生成した設定情報を、前記無線制御装置に登録する設定情報登録処理と、
を、前記設定情報登録装置に実行させることを特徴とする。
【発明の効果】
【００２４】
本発明によれば、無線通信を行う際に必要な設定情報を生成する際に、不要な設定情報の生成を回避することが可能となる。
【発明を実施するための最良の形態】
【００２５】
まず、図２を参照しながら、本実施例における無線通信システムの概要について説明する。【００２６】
本実施例における無線通信システムは、図２に示すように、無線端末装置（ＳＴＡ）と、無線端末装置（ＳＴＡ）の無線通信を制御する無線制御装置（２００、２０１、３００、３０１に相当）と、無線端末装置（ＳＴＡ）が無線通信を行う際に必要な設定情報を無線制御装置（２００、２０１、３００、３０１）に登録する設定情報登録装置（１００）と、を有して構成する無線通信システムである。【００２７】
そして、設定情報登録装置（１００）は、不特定の装置固有の識別情報を任意に収集し、その任意に収集した識別情報の中から特定の無線端末装置（ＳＴＡ）固有の識別情報を抽出する。そして、その抽出した識別情報を基に、設定情報を生成し、該生成した設定情報を、無線制御装置（２００、２０１、３００、３０１）に登録することを特徴とする。【００２８】
これにより、設定情報登録装置（１００）は、無線端末装置（ＳＴＡ）が無線通信を行う際に必要な設定情報を無線制御装置（２００、２０１、３００、３０１）に自動的に登録することが可能となる。【００２９】
また、設定情報登録装置（１００）は、任意に収集した識別情報の中から特定の無線端末装置（ＳＴＡ）固有の識別情報を抽出することで、設定情報を生成する際に不要な設定情報の生成を回避することが可能となる。【００３０】
以下、添付図面を参照しながら、本実施例における無線通信システムについて詳細に説明する。なお、以下の実施例では、無線端末装置（ＳＴＡ）の無線通信を制御する無線制御装置を、無線ＬＡＮ認証サーバ装置（２００）、認証情報データベース（２０１）、音声通信管理サーバ装置（３００）、電話番号情報データベース（３０１）として説明するが、無線端末装置（ＳＴＡ）の無線通信を制御することが可能であれば、無線ＬＡＮ認証サーバ装置（２００）と、認証情報データベース（２０１）と、音声通信管理サーバ装置（３００）と、電話番号情報データベース（３０１）と、の間のシステム構成については特に限定せず、あらゆるシステム構成を構築することが可能である。【００３１】
（第１の実施例）
＜無線通信システムのシステム構成＞
まず、図２を参照しながら、本実施例の無線通信システムのシステム構成について説明する。【００３２】
本実施例における無線通信システムは、無線端末装置（ＳＴＡ）と、無線基地局（ＡＰ）と、設定情報登録装置（１００）と、無線ＬＡＮ認証サーバ装置（２００）と、認証情報データベース（２０１）と、音声通信管理サーバ装置（３００）と、電話番号情報データベース（３０１）と、を有して構成している。【００３３】
なお、無線ＬＡＮ認証サーバ装置（２００）と、認証情報データベース（２０１）と、音声通信管理サーバ装置（３００）と、電話番号情報データベース（３０１）と、は、上述した図１に示すものと同様の機能を有して構成することが可能である。【００３４】
＜無線端末装置：ＳＴＡの内部構成＞
次に、図３を参照しながら、本実施例の無線通信システムを構成する無線端末装置（ＳＴＡ）の内部構成について説明する。【００３５】
本実施例における無線端末装置（ＳＴＡ）は、図３に示すように、通信部（１１）と、制御部（１２）と、記憶部（１３）と、表示部（１４）と、操作部（１５）と、アンテナ（１６）と、を有して構成している。【００３６】
通信部（１１）は、アンテナ（１６）を介して無線基地局（ＡＰ）との間で無線回線を確立し、任意の周波数で情報の送受信を行うものである。【００３７】
制御部（１２）は、無線端末装置（ＳＴＡ）内を統括して制御するものである。【００３８】
記憶部（１３）は、無線端末装置（ＳＴＡ）の各種設定値を記憶したり、通信部（１１）を介して送受信される情報を一時的に蓄積したりするものである。また、記憶部（１３）には、設定用ネットワークに存在する設定情報登録装置（１００）に接続するために必要な設定専用のＳＳＩＤ（Service Set Identifier）が格納されている。また、記憶部（１３）には、無線通信を行う際に必要となる設定情報を管理するための設定情報管理テーブル（１７）を有して構成している。なお、設定情報管理テーブル（１７）のテーブル構成を図４に示す。【００３９】
図４に示すように、設定情報管理テーブル（１７）には、無線端末装置（ＳＴＡ）が無線通信を行う際に必要となる設定情報が登録されることになる。【００４０】
これにより、無線端末装置（ＳＴＡ）は、設定情報管理テーブル（１７）に登録される設定情報を用いて無線通信を行うことが可能となる。なお、本実施例における設定情報管理テーブル（１７）は、図４に示すように、『管理番号』毎に区分して設定情報を管理することになる。【００４１】
本実施例における設定情報管理テーブル（１７）に登録される設定情報としては、図４に示すように、『運用用のＳＳＩＤ』と、『ユーザＩＤ』と、『パスワード』と、『電話番号』と、『ＳＩＰ ＵＲＬ』と、『認証方式』と、が挙げられる。【００４２】
『運用用のＳＳＩＤ』は、無線基地局（ＡＰ）を介して無線ＬＡＮ認証サーバ装置（２００）と、音声通信管理サーバ装置（３００）と、に接続する際に使用するものである。【００４３】
『ユーザＩＤ』は、無線ＬＡＮ認証サーバ装置（２００）から認証許可通知を受け付ける際に使用するものである。【００４４】
『パスワード』は、無線端末装置（ＳＴＡ）と無線ＬＡＮ認証サーバ装置（２００）との間の無線接続を容認するか否かを判断する際に使用するものである。【００４５】
『電話番号』は、音声通信管理サーバ装置（３００）から接続許可通知を受け付ける際に使用するものである。【００４６】
『ＳＩＰ ＵＲＬ』は、無線端末装置（ＳＴＡ）と音声通信管理サーバ装置（３００）との間の接続を容認するか否かを判断する際に使用するものである。【００４７】
『認証方式』は、ＩＥＥＥ８０２．１ｘに定められている規格等を示す。【００４８】
なお、図４に示す設定情報管理テーブル（１７）に登録される設定情報は、一例であり、図４に示す設定情報に限定されるものではなく、設定情報登録装置（１００）から取得可能な情報であれば、あらゆる情報を設定情報管理テーブル（１７）に登録して管理することが可能である。【００４９】
また、本実施例では、図４に示すように、『管理番号』毎に区分して設定情報を管理することにしたが、設定情報を管理することが可能であれば、あらゆる管理方法を適用することが可能である。【００５０】
なお、設定情報管理テーブル（１７）には、無線端末装置（ＳＴＡ）の初期設定時には、設定情報が登録されておらず（空の状態）、無線通信の運用開始時に、設定用ネットワークに接続するための設定専用のＳＳＩＤを使用して設定用ネットワークに存在する設定情報登録装置（１００）に接続し、設定情報登録装置（１００）において生成した設定情報を取得し、該取得した設定情報を設定情報管理テーブル（１７）に登録することになる。【００５１】
これにより、無線端末装置（ＳＴＡ）は、設定情報管理テーブル（１７）に登録された設定情報を用いて無線通信を行うことが可能となる。なお、設定用ネットワークに接続するための情報は、設定専用のＳＳＩＤに限定するものではなく、設定用ネットワークに接続することが可能な情報であれば、あらゆる情報を接続情報として適用することが可能である。【００５２】
但し、無線端末装置（ＳＴＡ）に設定情報が何も登録されていない運用開始前の状態で、無線端末装置（ＳＴＡ）が設定情報登録装置（１００）に接続することを鑑みると、既存の無線端末装置（ＳＴＡ）が予め保持している情報を使用して設定用ネットワークに接続できるように設計することが好ましい。【００５３】
表示部（１４）は、記憶部（１３）に記憶された各種情報を表示するためのものである。例えば、図４に示す設定情報管理テーブル（１７）に登録される情報等を表示部（１４）に表示したりすることになる。【００５４】
操作部（１５）は、記憶部（１３）に記憶された各種設定情報を設定したり、無線端末装置（ＳＴＡ）における各種制御を実行するためのコマンド情報を入力したりするものである。例えば、図４に示す設定情報管理テーブル（１７）に登録された情報等を操作部（１５）により設定したりすることになる。【００５５】
＜無線基地局：ＡＰの内部構成＞
次に、図５を参照しながら、本実施例における無線通信システムを構成する無線基地局（ＡＰ）の内部構成について説明する。【００５６】
本実施例における無線基地局（ＡＰ）は、図５に示すように、通信部（２１）と、制御部（２２）と、記憶部（２３）と、アンテナ（２４）と、を有して構成している。【００５７】
通信部（２１）は、アンテナ（２４）を介して無線端末装置（ＳＴＡ）との間で無線回線を確立し、任意の周波数で情報の送受信を行うものである。また、通信部（２１）は、他の無線基地局（ＡＰ）との間で情報の送受信を行うことも可能である。【００５８】
制御部（２２）は、無線基地局（ＡＰ）内を統括して制御するものである。記憶部（２３）は、無線基地局（ＡＰ）の各種設定値を記憶したり、通信部（２１）を介して送受信される情報を一時的に蓄積したりするものである。記憶部（２３）に記憶される各種設定値とは、無線チャネルやサービス識別子（ＳＳＩＤ:Service Set identifier）等が挙げられる。【００５９】
なお、本実施例では、ＳＳＩＤとして、無線通信を行う際に使用する運用用のＳＳＩＤと、設定情報を無線端末装置（ＳＴＡ）に登録する際に使用する設定専用のＳＳＩＤと、がある。【００６０】
設定情報登録装置（１００）と同一の設定用ネットワーク（サブネット）内に存在する無線基地局（ＡＰ）は、設定専用のＳＳＩＤが記憶部（２３）に記憶される。これにより、無線端末装置（ＳＴＡ）が設定専用のＳＳＩＤを使用して無線基地局（ＡＰ）に接続した際に、無線基地局（ＡＰ）は、同一の設定用ネットワーク内に存在する設定情報登録装置（１００）に情報を転送することになり、無線端末装置（ＳＴＡ）と設定情報登録装置（１００）とのリンクを自動的に確立させることが可能となる。【００６１】
なお、本実施例における無線通信システムは、設定専用の無線基地局（ＡＰ）を設けることで、設定専用の無線基地局（ＡＰ）の電波到達範囲内に存在する無線端末装置（ＳＴＡ）は、設定専用のＳＳＩＤを使用して設定専用の無線基地局（ＡＰ）に帰属し、設定用ネットワーク内に存在する設定情報登録装置（１００）に自動的に接続することが可能となる。【００６２】
＜設定情報登録装置：１００の内部構成＞
次に、図２を参照しながら、本実施例の無線通信システムを構成する設定情報登録装置（１００）の内部構成について説明する。【００６３】
本実施例における設定情報登録装置（１００）は、図２に示すように、通信制御部（１０１）と、設定情報管理部（１０２）と、初期値設定部（１０３）と、設定情報生成部（１０４）と、を有して構成している。【００６４】
通信制御部（１０１）は、同一の設定用ネットワーク（サブネット）内に存在する無線基地局（ＡＰ）と無線通信を行うものである。なお、本実施例における設定情報登録装置（１００）は、設定専用のＳＳＩＤが設定されており、設定専用のＳＳＩＤが設定されている無線基地局（ＡＰ）のみと無線通信を行うことが可能となる。【００６５】
設定情報管理部（１０２）は、無線端末装置（ＳＴＡ）が無線通信を行う際に必要となる設定情報を管理するものである。なお、設定情報管理部（１０２）において管理する設定情報の構成例を図６に示す。【００６６】
本実施例における設定情報管理部（１０２）は、図６に示すように、無線端末装置（ＳＴＡ）固有の『ＭＡＣアドレス』に関連づけて設定情報を管理することになる。設定情報としては、図４に示す、無線端末装置（ＳＴＡ）の設定情報管理テーブル（１７）に登録される設定情報と同様に、『運用用のＳＳＩＤ』と、『ユーザＩＤ』と、『パスワード』と、『電話番号』と、『ＳＩＰ ＵＲＬ』と、『認証方式』と、が挙げられる。【００６７】
なお、本実施例における無線通信システムでは、認証情報データベース（２０１）と、電話番号情報データベース（３０１）と、には、設定情報管理部（１０２）に管理されている設定情報に含まれる情報と同一の情報が登録されることになる。【００６８】
また、設定情報管理部（１０２）は、設定情報登録装置（１００）において設定情報を生成する無線端末装置（ＳＴＡ）の識別情報を特定するための『抽出条件』を管理することになる。【００６９】
『抽出条件』としては、例えば、無線端末装置（ＳＴＡ）固有の『ＭＡＣアドレスに関する情報』や、無線端末装置（ＳＴＡ）固有の『シリアル番号に関する情報』等が挙げられる。なお、『抽出条件』としては、設定情報登録装置（１００）において設定情報を生成する無線端末装置（ＳＴＡ）固有の識別情報を特定することが可能であれば、あらゆる条件を『抽出条件』として管理することが可能である。【００７０】
また、設定情報管理部（１０２）において管理する『抽出条件』は、任意に設定変更することが可能であり、例えば、設定情報登録装置（１００）の操作部からユーザが設定情報管理部（１０２）において管理する『抽出条件』を任意に設定変更したり、設定情報登録装置（１００）と接続された外部の通信装置に格納されている『抽出条件』をダウンロードして取得し、該取得した『抽出条件』を基に、設定情報管理部（１０２）において管理する『抽出条件』を変更したりするように構築することも可能である。【００７１】
なお、上述した外部の通信装置を、無線端末装置（ＳＴＡ）を製造している製造メーカの通信装置とした場合には、その製造メーカで製造している無線端末装置（ＳＴＡ）に関する情報を『抽出条件』として通信装置に格納し、設定情報登録装置（１００）は、その製造メーカの通信装置に格納されている『抽出条件』を取得し、その取得した『抽出条件』を基に、その製造メーカで製造している特定の無線端末装置（ＳＴＡ）固有の識別情報を抽出するようにすることも可能である。【００７２】
初期値設定部（１０３）は、無線端末装置（ＳＴＡ）固有の設定情報を生成する際に使用する初期値が予め設定されている。なお、本実施例では、初期値として『電話番号』が設定されおり、例えば、３０００〜３９９９番という無線端末装置（ＳＴＡ）１０００台分の『電話番号』が設定されている。【００７３】
設定情報生成部（１０４）は、無線端末装置（ＳＴＡ）固有の設定情報を生成するものである。設定情報生成部（１０４）は、無線端末装置（ＳＴＡ）から取得した無線端末装置（ＳＴＡ）固有の識別情報が、設定情報管理部（１０２）で管理されている『抽出条件』に該当するか否かを判断し、無線端末装置（ＳＴＡ）から取得した無線端末装置（ＳＴＡ）固有の識別情報が、『抽出条件』に該当すると判断した場合に、無線端末装置（ＳＴＡ）から取得した無線端末装置（ＳＴＡ）固有の識別情報（ＭＡＣアドレスや、シリアル番号等）と、初期値設定部（１０３）に設定されている初期値（電話番号）と、を用いて、無線端末装置（ＳＴＡ）固有の設定情報を生成することになる。【００７４】
例えば、設定情報を生成する無線端末装置（ＳＴＡ）を特定するための『抽出条件』として、無線端末装置（ＳＴＡ）固有の『ＭＡＣアドレスに関する情報』を設定情報管理部（１０２）で管理する。そして、設定情報生成部（１０４）は、無線端末装置（ＳＴＡ）から取得した無線端末装置（ＳＴＡ）固有のＭＡＣアドレスが、設定情報管理部（１０２）で管理する『ＭＡＣアドレスに関する情報』に該当すると判断した場合に、無線端末装置（ＳＴＡ）固有の設定情報を生成することになる。【００７５】
＜設定情報の生成方法＞
次に、設定情報生成部（１０４）が無線端末装置（ＳＴＡ）固有の設定情報を生成する際の一例について以下に説明する。【００７６】
まず、設定情報生成部（１０４）は、無線端末装置（ＳＴＡ）から取得した無線端末装置（ＳＴＡ）固有の『識別情報』：Ｘ（ＭＡＣアドレス、シリアル番号等）が、『抽出条件』に該当すると判断した場合に、初期値設値定部（１０３）から任意の『電話番号』：３０００番を選出し、その選出した任意の『電話番号』：３０００番と、無線端末装置（ＳＴＡ）から取得した無線端末装置（ＳＴＡ）固有の『識別情報』：Ｘ（ＭＡＣアドレス、シリアル番号等）と、を基に、無線端末装置（ＳＴＡ）固有の設定情報を生成する。【００７７】
なお、無線端末装置（ＳＴＡ）固有の設定情報としては、『運用用のＳＳＩＤ』：ＳＳＩＤ：１と、『ユーザＩＤ』：３０００と、『パスワード』：xxxxxxxx (ランダム)と、『電話番号』：３０００と、『ＳＩＰ ＵＲＬ』：SIP:3000@servername.comと、『認証方式』と、が挙げられる。【００７８】
次に、設定情報生成部（１０４）は、上記生成した無線端末装置（ＳＴＡ）固有の設定情報を、無線端末装置（ＳＴＡ）固有の識別情報（ＭＡＣアドレス、シリアル番号等）と関連付けて、設定情報管理部（１０２）に登録し、設定情報管理部（１０２）は、図６に示すようなテーブル構成で、無線端末装置（ＳＴＡ）固有の設定情報を管理することになる。【００７９】
次に、初期値設定部（１０３）は、設定情報生成部（１０４）が初期値設定部（１０３）から任意に選出した『電話番号』：３０００番の情報を管理する。【００８０】
そして、設定情報生成部（１０４）は、無線端末装置（ＳＴＡ）から取得した新たな無線端末装置（ＳＴＡ）固有の『識別情報』：Ｘ（ＭＡＣアドレス、シリアル番号等）が、『抽出条件』に該当すると判断した場合に、初期値設定部（１０３）から既に選出した電話番号以外の他の『電話番号』：３００１番を選出し、その選出した『電話番号』：３００１番と、無線端末装置（ＳＴＡ）から取得した新たな無線端末装置（ＳＴＡ）固有の『識別情報』：Ｘ（ＭＡＣアドレス、シリアル番号等）と、を基に、無線端末装置（ＳＴＡ）固有の設定情報を生成する。【００８１】
これにより、設定情報生成部（１０４）は、初期値設定部（１０３）から同じ電話番号を選出しないように制御し、無線端末装置（ＳＴＡ）固有の設定情報を生成することが可能となる。【００８２】
なお、初期値設定部（１０３）から任意に選出した電話番号の情報は、設定情報登録装置（１００）の操作部から削除するように制御することも可能であり、例えば、初期値設定部（１０３）から任意に選出した電話番号を基に生成した設定情報が不要となった場合には、その設定情報を生成した基となった電話番号の情報を削除するように制御することも可能である。これにより、初期値設定部（１０３）に設定されている電話番号を有効活用することが可能となる。【００８３】
＜無線通信システムにおける一連の制御動作＞
次に、図７を参照しながら、本実施例の無線通信システムにおける一連の制御動作について説明する。【００８４】
まず、無線端末装置（ＳＴＡ）は、設定専用のＳＳＩＤを使用してＳｅｔ Ｕｐを行うことになり、設定専用のＳＳＩＤが設定されている無線基地局（ＡＰ）と接続処理を行う（ステップＡ１）。【００８５】
無線端末装置（ＳＴＡ）は、設定専用のＳＳＩＤを使用して無線基地局（ＡＰ）との接続処理が完了すると、ＤＨＣＰ要求をブロードキャストで無線基地局（ＡＰ）に送信する（ＤＨＣＰディスカバー）。なお、無線基地局（ＡＰ）は、無線端末装置（ＳＴＡ）からＤＨＣＰ要求を受信すると、無線基地局（ＡＰ）と同一のサブネット内にＤＨＣＰ要求を送信することになり、無線基地局（ＡＰ）と同一のサブネットに存在する設定情報登録装置（１００）は、無線端末装置（ＳＴＡ）のＤＨＣＰ要求を受信することになる。【００８６】
なお、設定情報登録装置（１００）は、無線端末装置（ＳＴＡ）のＤＨＣＰ要求を受信すると、無線端末装置（ＳＴＡ）のＭＡＣアドレスを取得することになる（ステップＡ２）。【００８７】
次に、設定情報登録装置（１００）は、設定情報管理部（１０２）において管理されている『抽出条件』を基に、無線端末装置（ＳＴＡ）から取得した『ＭＡＣアドレス』が、無線端末装置（ＳＴＡ）固有の設定情報を生成するための『抽出条件』に該当するか否かを判断する（ステップＡ３）。【００８８】
設定情報登録装置（１００）は、無線端末装置（ＳＴＡ）から取得した『ＭＡＣアドレス』が、『抽出条件』に該当しないと判断した場合は（ステップＡ３／Ｎｏ）、設定情報登録装置（１００）は、無線端末装置（ＳＴＡ）固有の設定情報を生成せず、設定情報生成の拒否通知を無線端末装置（ＳＴＡ）に送信する（ステップＡ４）。【００８９】
これにより、無線端末装置（ＳＴＡ）は、設定情報登録装置（１００）に送信した『ＭＡＣアドレス』が『抽出条件』に該当しないと判断することが可能となる。【００９０】
また、設定情報登録装置（１００）は、無線端末装置（ＳＴＡ）から取得した『ＭＡＣアドレス』が、『抽出条件』に該当すると判断した場合は（ステップＡ３／Ｙｅｓ）、設定情報登録装置（１００）は、無線端末装置（ＳＴＡ）から取得した『ＭＡＣアドレス』と、初期値設定部（１０３）に設定されている『電話番号』と、を基に、無線端末装置（ＳＴＡ）固有の設定情報を生成する。そして、設定情報登録装置（１００）は、上記生成した無線端末装置（ＳＴＡ）固有の設定情報を、設定情報管理部（１０２）に登録すると共に、設定情報登録装置（１００）は、上記生成した無線端末装置（ＳＴＡ）固有の設定情報を、無線端末装置（ＳＴＡ）に送信する（ステップＡ５）。【００９１】
無線端末装置（ＳＴＡ）は、設定情報登録装置（１００）から設定情報を受信し、その受信した設定情報を設定情報管理テーブル（１７）に登録する（ステップＡ６）。これにより、無線端末装置（ＳＴＡ）は、設定情報登録装置（１００）から受信した無線端末装置（ＳＴＡ）固有の設定情報を用いて、無線通信を行うことが可能となる。【００９２】
また、設定情報登録装置（１００）は、上記生成した無線端末装置（ＳＴＡ）固有の設定情報を無線ＬＡＮ認証サーバ装置（２００）に送信し、設定情報の登録要求を行い（ステップＡ７）、無線ＬＡＮ認証サーバ装置（２００）は、設定情報登録装置（１００）から受信した設定情報を基に、無線通信の接続処理時に必要な認証情報を認証情報データベース（２０１）に登録し、設定情報の登録要求の応答を行うことになる（ステップＡ８）。【００９３】
例えば、無線ＬＡＮ認証サーバ装置（２００）は、設定情報登録装置（１００）から受信した設定情報を基に、『運用用のＳＳＩＤ』と、『ユーザＩＤ』と、『パスワード』と、『認証方式』と、を認証情報として認証情報データベース（２０１）に登録する。これにより、無線ＬＡＮ認証サーバ装置（２００）は、無線通信の接続処理時に必要な認証情報を、認証情報データベース（２０１）で管理することが可能となる。【００９４】
また、設定情報登録装置（１００）は、上記生成した無線端末装置（ＳＴＡ）固有の設定情報を音声通信管理サーバ装置（３００）に送信し、設定情報の登録要求を行い（ステップＡ９）、音声通信管理サーバ装置（３００）は、設定情報登録装置（１００）から受信した設定情報を基に、音声通信の接続処理時に必要な電話番号情報を電話番号情報データベース（３０１）に登録し、設定情報の登録要求の応答を行うことになる（ステップＡ１０）。【００９５】
例えば、音声通信管理サーバ装置（３００）は、設定情報登録装置（１００）から受信した設定情報を基に、『電話番号』と、『ＳＩＰ ＵＲＬ』と、を電話番号情報として電話番号情報データベース（３０１）に登録する。これにより、音声通信管理サーバ装置（３００）は、音声通信の接続処理時に必要な電話番号情報を、電話番号情報データベース（３０１）で管理することが可能となる。【００９６】
このように、無線端末装置（ＳＴＡ）は、設定用ネットワークに接続するための設定専用のＳＳＩＤ（Service Set Identifier）を用いて無線基地局（ＡＰ）に帰属し、無線基地局（ＡＰ）を介して設定用ネットワークに存在する設定情報登録装置（１００）に接続する。【００９７】
そして、設定情報登録装置（１００）は、無線端末装置（ＳＴＡ）と接続した際に無線端末装置（ＳＴＡ）から取得した無線端末装置（ＳＴＡ）固有のＭＡＣアドレスが、抽出条件に該当するか否かを判断し、無線端末装置（ＳＴＡ）から取得した無線端末装置固有のＭＡＣアドレスが、抽出条件に該当すると判断した場合は、無線端末装置（ＳＴＡ）固有の設定情報を生成し、該生成した設定情報を無線端末装置（ＳＴＡ）に送信し、無線端末装置（ＳＴＡ）に設定情報を登録することになる。【００９８】
また、設定情報登録装置（１００）は、上記生成した無線端末装置（ＳＴＡ）固有の設定情報を、無線ＬＡＮ認証サーバ装置（２００）と、音声通信管理サーバ装置（３００）と、に送信し、認証情報データベース（２０１）と、電話番号情報データベース（３０１）と、に設定情報を登録することになる。【００９９】
これにより、無線端末装置（ＳＴＡ）は、設定情報登録装置（１００）から取得した無線端末装置（ＳＴＡ）固有の設定情報を用いて、無線通信を行うことが可能となる。【０１００】
（第２の実施例）
次に、第２の実施例について説明する。【０１０１】
第１の実施例における無線通信システムは、設定情報登録装置（１００）が、無線端末装置（ＳＴＡ）から取得したＭＡＣアドレスを基に、無線端末装置（ＳＴＡ）固有の設定情報を生成することにした。【０１０２】
第２の実施例における無線通信システムは、設定情報登録装置（１００）が、無線端末装置（ＳＴＡ）から取得したシリアル番号を基に、無線端末装置（ＳＴＡ）固有の設定情報を生成することを特徴とする。【０１０３】
これにより、設定情報登録装置（１００）は、第１の実施例と同様に、無線端末装置（ＳＴＡ）固有の設定情報を生成することが可能となる。以下、図８、図９を参照しながら、第２の実施例の無線通信システムにおける一連の制御動作について説明する。なお、図８は、第２の実施例の無線通信システムにおける一連の制御動作を示し、図９は、設定情報登録装置（１００）の設定情報管理部（１０２）において設定情報を管理する際のテーブル構成を示している。【０１０４】
＜無線通信システムのシステム構成＞
第２の実施例における無線通信システムは、図２に示す第１の実施例の無線通信システムと同様に構成する。【０１０５】
＜無線通信システムにおける一連の制御動作＞
次に、図８を参照しながら、本実施例の無線通信システムにおける一連の制御動作について説明する。【０１０６】
まず、無線端末装置（ＳＴＡ）は、設定専用のＳＳＩＤを使用してＳｅｔ Ｕｐを行うことになり、設定専用のＳＳＩＤが設定されている無線基地局（ＡＰ）と接続処理を行う（ステップＢ１）。【０１０７】
無線端末装置（ＳＴＡ）は、設定専用のＳＳＩＤを使用して無線基地局（ＡＰ）との接続処理が完了すると、ＤＨＣＰ要求をブロードキャストで無線基地局（ＡＰ）に送信する（ＤＨＣＰディスカバー）。なお、無線基地局（ＡＰ）は、無線端末装置（ＳＴＡ）からＤＨＣＰ要求を受信すると、無線基地局（ＡＰ）と同一のサブネット内にＤＨＣＰ要求を送信することになり、無線基地局（ＡＰ）と同一のサブネットに存在する設定情報登録装置（１００）は、無線端末装置（ＳＴＡ）のＤＨＣＰ要求を受信することになる。【０１０８】
なお、設定情報登録装置（１００）は、無線端末装置（ＳＴＡ）のＤＨＣＰ要求を受信すると、無線端末装置（ＳＴＡ）のＭＡＣアドレスを取得することになる（ステップＢ２）。【０１０９】
次に、設定情報登録装置（１００）は、設定情報管理部（１０２）において管理されている『抽出条件』を基に、無線端末装置（ＳＴＡ）から取得した『ＭＡＣアドレス』が、無線端末装置（ＳＴＡ）固有の設定情報を生成するための『抽出条件』に該当するか否かを判断する（ステップＢ３）。【０１１０】
設定情報登録装置（１００）は、無線端末装置（ＳＴＡ）から取得した『ＭＡＣアドレス』が、『抽出条件』に該当しないと判断した場合は（ステップＢ３／Ｎｏ）、設定情報登録装置（１００）は、無線端末装置（ＳＴＡ）固有の設定情報を生成せず、設定情報生成の拒否通知を無線端末装置（ＳＴＡ）に送信する（ステップＢ４）。【０１１１】
これにより、無線端末装置（ＳＴＡ）は、設定情報登録装置（１００）に送信した『ＭＡＣアドレス』が『抽出条件』に該当しないと判断することが可能となる。【０１１２】
また、設定情報登録装置（１００）は、無線端末装置（ＳＴＡ）から取得した『ＭＡＣアドレス』が、『抽出条件』に該当すると判断した場合は（ステップＢ３／Ｙｅｓ）、設定情報登録装置（１００）は、無線端末装置（ＳＴＡ）から取得したＭＡＣアドレスを基に、無線端末装置（ＳＴＡ）に対し、無線端末装置（ＳＴＡ）固有のシリアル番号の送信要求を送信する（ステップＢ５）。【０１１３】
無線端末装置（ＳＴＡ）は、設定情報登録装置（１００）からシリアル番号の送信要求を受信したと判断した際に、無線端末装置（ＳＴＡ）固有のシリアル番号を設定情報登録装置（１００）に送信する（ステップＢ６）。【０１１４】
設定情報登録装置（１００）は、無線端末装置（ＳＴＡ）からシリアル番号を受信したと判断した際に、無線端末装置（ＳＴＡ）から受信した『シリアル番号』と、初期値設定部（１０３）に設定されている『電話番号』と、を基に、無線端末装置（ＳＴＡ）固有の設定情報を生成する。【０１１５】
そして、設定情報登録装置（１００）は、上記生成した無線端末装置（ＳＴＡ）固有の設定情報を、設定情報管理部（１０２）に登録すると共に、設定情報登録装置（１００）は、上記生成した無線端末装置（ＳＴＡ）固有の設定情報を、無線端末装置（ＳＴＡ）に送信する（ステップＢ７）。【０１１６】
なお、第２の実施例における設定情報管理部（１０２）は、図９に示すように、無線端末装置（ＳＴＡ）固有の『シリアル番号』に関連づけて設定情報を管理することになる。設定情報としては、図４に示す、無線端末装置（ＳＴＡ）の設定情報管理テーブル（１７）に登録される設定情報と同様に、『運用用のＳＳＩＤ』と、『ユーザＩＤ』と、『パスワード』と、『電話番号』と、『ＳＩＰ ＵＲＬ』と、『認証方式』と、が挙げられる。【０１１７】
無線端末装置（ＳＴＡ）は、設定情報登録装置（１００）から設定情報を受信し、その受信した設定情報を設定情報管理テーブル（１７）に登録する（ステップＢ８）。【０１１８】
これにより、無線端末装置（ＳＴＡ）は、設定情報登録装置（１００）から受信した無線端末装置（ＳＴＡ）固有の設定情報を用いて、無線通信を行うことが可能となる。【０１１９】
また、設定情報登録装置（１００）は、上記生成した無線端末装置（ＳＴＡ）固有の設定情報を無線ＬＡＮ認証サーバ装置（２００）に送信し、設定情報の登録要求を行い（ステップＢ９）、無線ＬＡＮ認証サーバ装置（２００）は、設定情報登録装置（１００）から受信した設定情報を基に、無線通信の接続処理時に必要な認証情報を認証情報データベース（２０１）に登録し、設定情報の登録要求の応答を行うことになる（ステップＢ１０）。【０１２０】
これにより、無線ＬＡＮ認証サーバ装置（２００）は、無線通信の接続処理時に必要な認証情報を、認証情報データベース（２０１）で管理することが可能となる。【０１２１】
また、設定情報登録装置（１００）は、上記生成した無線端末装置（ＳＴＡ）固有の設定情報を音声通信管理サーバ装置（３００）に送信し、設定情報の登録要求を行い（ステップＢ１１）、音声通信管理サーバ装置（３００）は、設定情報登録装置（１００）から受信した設定情報を基に、音声通信の接続処理時に必要な電話番号情報を電話番号情報データベース（３０１）に登録し、設定情報の登録要求の応答を行うことになる（ステップＢ１２）。【０１２２】
これにより、音声通信管理サーバ装置（３００）は、音声通信の接続処理時に必要な電話番号情報を、電話番号情報データベース（３０１）で管理することが可能となる。【０１２３】
このように、無線端末装置（ＳＴＡ）は、設定用ネットワークに接続するための設定専用のＳＳＩＤ（Service Set Identifier）を用いて無線基地局（ＡＰ）に帰属し、無線基地局（ＡＰ）を介して設定用ネットワークに存在する設定情報登録装置（１００）に接続する。【０１２４】
そして、設定情報登録装置（１００）は、無線端末装置（ＳＴＡ）と接続した際に無線端末装置（ＳＴＡ）から取得した無線端末装置（ＳＴＡ）固有のＭＡＣアドレスが、抽出条件に該当するか否かを判断し、無線端末装置（ＳＴＡ）から取得した無線端末装置固有のＭＡＣアドレスが、抽出条件に該当すると判断した場合は、設定情報登録装置（１００）は、無線端末装置（ＳＴＡ）に対し、無線端末装置（ＳＴＡ）固有のシリアル番号の送信要求を送信する。【０１２５】
そして、無線端末装置（ＳＴＡ）は、無線端末装置（ＳＴＡ）固有のシリアル番号を設定情報登録装置（１００）に送信し、設定情報登録装置（１００）は、無線端末装置（ＳＴＡ）から受信した無線端末装置（ＳＴＡ）固有のシリアル番号を基に、無線端末装置（ＳＴＡ）固有の設定情報を生成し、該生成した設定情報を無線端末装置（ＳＴＡ）に送信し、無線端末装置（ＳＴＡ）に設定情報を登録することになる。【０１２６】
また、設定情報登録装置（１００）は、上記生成した無線端末装置（ＳＴＡ）固有の設定情報を、無線ＬＡＮ認証サーバ装置（２００）と、音声通信管理サーバ装置（３００）と、に送信し、認証情報データベース（２０１）と、電話番号情報データベース（３０１）と、に設定情報を登録することになる。【０１２７】
これにより、無線端末装置（ＳＴＡ）は、設定情報登録装置（１００）から取得した無線端末装置（ＳＴＡ）固有の設定情報を用いて、無線通信を行うことが可能となる。【０１２８】
なお、上述した図８に示す一連の制御動作では、ステップＢ３において、無線端末装置（ＳＴＡ）から取得した無線端末装置（ＳＴＡ）固有のＭＡＣアドレスが、抽出条件に該当するか否かを判断することにしたが、図１０に示すように、ステップＢ５において、無線端末装置（ＳＴＡ）から取得した無線端末装置（ＳＴＡ）固有のシリアル番号が、抽出条件に該当するか否かを判断するように構築することも可能である。【０１２９】
（設定専用のＳＳＩＤを使用して設定情報登録装置１００に接続する判断条件）
次に、上述した第１、第２の実施例で説明した図７、図８、図１０に示す一連の制御動作を行う判断条件について説明する。【０１３０】
（第１の判断条件）
まず、上述した第１、第２の実施例の制御動作を行う判断条件としては、無線端末装置（ＳＴＡ）の設定情報管理テーブル（１７）に設定情報が登録されていないと無線端末装置（ＳＴＡ）が判断した場合が挙げられる。【０１３１】
無線通信の運用開始前は、無線端末装置（ＳＴＡ）の設定情報管理テーブル（１７）は、空の状態であるため、無線通信を行うことができないことになる。このため、無線端末装置（ＳＴＡ）は、設定情報管理テーブル（１７）に設定情報が登録されていないと判断した場合に、無線端末装置（ＳＴＡ）は、設定専用のＳＳＩＤを用いて無線基地局（ＡＰ）を介して設定情報登録装置（１００）に接続し、上述した図７、図８、図１０に示す一連の制御動作を行うことになる。【０１３２】
（第２の判断条件）
また、上述した第１、第２の実施例の制御動作を行う判断条件としては、無線端末装置（ＳＴＡ）の設定情報管理テーブル（１７）の所定の領域に設定情報が登録されていないと無線端末装置（ＳＴＡ）が判断した場合が挙げられる。【０１３３】
例えば、設定情報管理テーブル（１７）は、図４に示すように、『管理番号』毎に区分して設定情報を管理することになる。このため、操作者が操作部（１５）を用いて設定情報が登録されていない空（未登録）の『管理番号』を選択することで、無線端末装置（ＳＴＡ）は、その操作部（１５）から選択された『管理番号』に関連づけられた設定情報が、設定情報管理テーブル（１７）に登録されていないと判断し、無線端末装置（ＳＴＡ）は、設定専用のＳＳＩＤを用いて無線基地局（ＡＰ）を介して設定情報登録装置（１００）に接続し、上述した図７、図８、図１０に示す一連の制御動作を行うことになる。【０１３４】
なお、操作者が操作部（１５）を用いて『管理番号』を選択する場合には、図１１に示すような表示画面が表示部（１４）上に表示される。なお、図１１に示す表示画面は、設定情報管理テーブル（１７）で管理されている設定情報の管理状況が『管理番号』毎に区分されて表示部（１４）に表示されている状態を示し、操作者は、操作部（１５）を用いて無線通信を行う際に使用する設定情報の『管理番号』を選択することになる。【０１３５】
この時、操作者は、操作部（１５）を用いて、図１１に示すように、設定情報が登録されていない空（未登録）の『管理番号』を選択することで（管理番号『ＮＯ．３』）、無線端末装置（ＳＴＡ）は、操作部（１５）から選択された『管理番号』に関連づけられた設定情報が、設定情報管理テーブル（１７）に登録されていないと判断することになる。【０１３６】
（第３の判断条件）
また、上述した第１、第２の実施例の制御動作を行う判断条件としては、設定情報管理テーブル（１７）で管理されている設定情報を用いて無線通信を行っても、無線通信が確立できないと無線端末装置（ＳＴＡ）が判断した場合が挙げられる。【０１３７】
例えば、設定情報管理テーブル（１７）に複数の設定情報が登録されている場合に、無線端末装置（ＳＴＡ）が、設定情報管理テーブル（１７）に登録されている設定情報を順次読み出し、該読み出した設定情報を用いて無線通信を行い、設定情報管理テーブル（１７）に登録されている全ての設定情報を用いても、無線通信を確立できないと判断した場合に、無線端末装置（ＳＴＡ）は、設定専用のＳＳＩＤを用いて無線基地局（ＡＰ）を介して設定情報登録装置（１００）に接続し、上述した図７、図８、図１０に示す一連の制御動作を行うことになる。【０１３８】
なお、操作者が、操作部（１５）を用いて無線通信を行う際に使用する設定情報の『管理番号』を選択操作することが可能な場合には、操作部（１５）を用いて選択操作された『管理番号』の設定情報を用いて無線通信を行っても、無線通信が確立できないと判断した場合に、上述した図７、図８、図１０に示す一連の制御動作を行うように構築することも可能である。【０１３９】
（第４の判断条件）
また、上述した第１、第２の実施例の制御動作を行う判断条件としては、無線端末装置（ＳＴＡ）の設定情報管理テーブル（１７）で管理されている設定情報の有効期限が経過したと無線端末装置（ＳＴＡ）が判断した場合が挙げられる。【０１４０】
例えば、図１２に示すように、設定情報の有効期限となる『有効期限情報』と関連づけて設定情報を設定情報管理テーブル（１７）で管理し、無線端末装置（ＳＴＡ）は、設定情報管理テーブル（１７）で管理されている『有効期限情報』を基に、設定情報の有効期限が経過したと判断した際に、設定専用のＳＳＩＤを用いて無線基地局（ＡＰ）を介して設定情報登録装置（１００）に接続し、上述した図７、図８、図１０に示す一連の制御動作を行うことになる。【０１４１】
（第５の判断条件）
また、上述した第１、第２の実施例の制御動作を行う判断条件としては、設定情報の取得要求制御が行われたと判断した場合が挙げられる。【０１４２】
例えば、操作者が操作部（１５）を用いて、設定情報の取得要求制御が行われたと無線端末装置（ＳＴＡ）が判断した場合に、設定専用のＳＳＩＤを用いて無線基地局（ＡＰ）を介して設定情報登録装置（１００）に接続し、上述した図７、図８、図１０に示す一連の制御動作を行うことになる。【０１４３】
無線通信の運用開始時（初期設定時）は、設定情報管理テーブル（１７）には設定情報が登録されていないため、無線通信を行うことができない。このため、無線端末装置（ＳＴＡ）の電源投入時に、設定情報の取得要求制御を行うか否かを促すための表示画面を表示部（１４）上に表示し、操作部（１５）から所定の取得要求制御が行われたと判断した際に、上述した図７、図８、図１０に示す一連の制御動作を行うように構築することも可能である。【０１４４】
なお、設定情報の取得要求制御を行うか否かを促すための表示画面を表示部（１４）上に表示し、操作部（１５）から所定の取得要求制御を行うように制御するタイミングとしては、第１の判断条件で説明した設定情報管理テーブル（１７）に設定情報が登録されていないと判断した場合、第２の判断条件で説明した設定情報管理テーブル（１７）の所定の領域に設定情報が登録されていないと判断した場合、第３の判断条件で説明した設定情報管理テーブル（１７）で管理されている設定情報を用いて無線通信を行っても、無線通信が確立できないと判断した場合、第４の判断条件で説明した設定情報の有効期限が経過したと判断した場合等に行うことが可能である。【０１４５】
なお、設定情報の取得要求制御が行われたと判断する際の判断条件としては、上述した操作部（１５）から所定の取得要求制御が行われたと判断する場合に限定するものではなく、様々な条件をトリガーとし、設定情報の取得要求制御が行われたと判断するように構築することが可能である。【０１４６】
（第３の実施例）
次に、第３の実施例について説明する。【０１４７】
第１、第２の実施例では、設定情報登録装置（１００）は、無線端末装置（ＳＴＡ）固有の識別情報（ＭＡＣアドレスや、シリアル番号）を無線基地局（ＡＰ）を介して取得することにした。【０１４８】
第３の実施例では、設定情報登録装置（１００）は、バーコードリーダ、ＱＲコードリーダ、ＯＣＲ（Optical Character Recognition）、ＯＭＲ（Optical Mark Recognition）、ＲＦＩＤリーダ等の識別情報取得装置（４００）を用いて無線端末装置（ＳＴＡ）固有の識別情報を取得することを特徴とするものである。【０１４９】
これにより、設定情報登録装置（１００）は、識別情報取得装置（４００）を用いて無線端末装置（ＳＴＡ）固有の識別情報を取得し、該取得した識別情報を基に、無線端末装置（ＳＴＡ）固有の設定情報を生成することが可能となる。以下、図１３、図１４を参照しながら、第３の実施例の無線通信システムについて説明する。【０１５０】
＜無線通信システムのシステム構成＞
まず、図１３を参照しながら、第３の実施例における無線通信システムのシステム構成について説明する。【０１５１】
第３の実施例における無線通信システムは、図１３に示すように、無線端末装置（ＳＴＡ）と、無線基地局（ＡＰ）と、識別情報取得装置（４００）と、設定情報登録装置（１００）と、無線ＬＡＮ認証サーバ装置（２００）と、認証情報データベース（２０１）と、音声通信管理サーバ装置（３００）と、電話番号情報データベース（３０１）と、を有して構成している。【０１５２】
第３の実施例における無線通信システムは、無線端末装置（ＳＴＡ）固有の識別情報を取得する識別情報取得装置（４００）を新たに設けたことを特徴とする。【０１５３】
識別情報取得装置（４００）は、無線端末装置（ＳＴＡ）固有の識別情報を取得するものであり、例えば、バーコードリーダ、ＱＲコードリーダ、ＯＣＲ（Optical Character Recognition）、ＯＭＲ（Optical Mark Recognition）、ＲＦＩＤリーダ等が挙げられる。なお、識別情報取得装置（４００）は、無線端末装置（ＳＴＡ）固有の識別情報を取得することが可能な装置であれば、あらゆる装置が適用可能である。【０１５４】
＜無線通信システムにおける一連の制御動作＞
次に、図１４を参照しながら、第３の実施例の無線通信システムにおける一連の制御動作について説明する。【０１５５】
まず、識別情報取得装置（４００）は、無線端末装置（ＳＴＡ）固有の識別情報や、無線端末装置（ＳＴＡ）以外の他の装置固有の識別情報等を取得し、不特定の装置固有の識別情報を任意に収集する（ステップＣ１）。【０１５６】
次に、識別情報取得装置（４００）は、任意に収集した不特定の装置固有の識別情報を設定情報登録装置（１００）に送信する（ステップＣ２）。これにより、設定情報登録装置（１００）は、不特定の装置固有の識別情報を取得することが可能となる。【０１５７】
なお、識別情報取得装置（４００）が識別情報を設定情報登録装置（１００）に送信する際の送信条件は特に限定するものではなく、様々な条件をトリガーとして識別情報を設定情報登録装置（１００）に送信することが可能である。【０１５８】
例えば、識別情報取得装置（４００）が識別情報の取得要求を設定情報登録装置（１００）から受け付けた際に、設定情報登録装置（１００）に識別情報を送信する。また、識別情報取得装置（４００）において特定の時間が経過したと判断した際に、設定情報登録装置（１００）に識別情報を送信する。また、識別情報取得装置（４００）において特定の数の識別情報を収集したと判断した際に、設定情報登録装置（１００）に識別情報を送信する。また、識別情報取得装置（４００）が識別情報を取得した際に、設定情報登録装置（１００）に識別情報を逐次送信する。【０１５９】
次に、設定情報登録装置（１００）は、設定情報管理部（１０２）に管理されている『抽出条件』を基に、識別情報取得装置（４００）から取得した識別情報の中から『抽出条件』に該当する識別情報を抽出する（ステップＣ３）。【０１６０】
これにより、設定情報登録装置（１００）は、設定情報管理部（１０２）に管理されている『抽出条件』に該当する無線端末装置（ＳＴＡ）固有の識別情報を抽出することが可能となる。【０１６１】
次に、設定情報登録装置（１００）は、設定情報管理部（１０２）に管理されている『抽出条件』に該当する無線端末装置（ＳＴＡ）固有の識別情報と、初期値設定部（１０３）に設定されている『電話番号』と、を基に、無線端末装置（ＳＴＡ）固有の設定情報を生成する。そして、設定情報登録装置（１００）は、上記生成した無線端末装置（ＳＴＡ）固有の設定情報を、設定情報管理部（１０２）に登録する（ステップＣ４）。【０１６２】
また、設定情報登録装置（１００）は、上記生成した無線端末装置（ＳＴＡ）固有の設定情報を無線ＬＡＮ認証サーバ装置（２００）に送信し、設定情報の登録要求を行い（ステップＣ５）、無線ＬＡＮ認証サーバ装置（２００）は、設定情報登録装置（１００）から受信した設定情報を基に、無線通信の接続処理時に必要な認証情報を認証情報データベース（２０１）に登録し、設定情報の登録要求の応答を行うことになる（ステップＣ６）。【０１６３】
また、設定情報登録装置（１００）は、上記生成した無線端末装置（ＳＴＡ）固有の設定情報を音声通信管理サーバ装置（３００）に送信し、設定情報の登録要求を行い（ステップＣ７）、音声通信管理サーバ装置（３００）は、設定情報登録装置（１００）から受信した設定情報を基に、音声通信の接続処理時に必要な電話番号情報を電話番号情報データベース（３０１）に登録し、設定情報の登録要求の応答を行うことになる（ステップＣ８）。【０１６４】
このように、識別情報取得装置（４００）は、不特定の装置固有の識別情報を任意に収集し、その任意に収集した識別情報を設定情報登録装置（１００）に送信する。そして、設定情報登録装置（１００）は、識別情報取得装置（４００）から取得した識別情報と、設定情報管理部（１０２）において管理されている抽出条件と、を基に、設定情報管理部（１０２）において管理されている抽出条件に該当する無線端末装置（ＳＴＡ）固有の識別情報を抽出し、該抽出した無線端末装置（ＳＴＡ）固有の識別情報を基に、無線端末装置（ＳＴＡ）固有の設定情報を生成する。【０１６５】
そして、設定情報登録装置（１００）は、上記生成した無線端末装置（ＳＴＡ）固有の設定情報を、無線ＬＡＮ認証サーバ装置（２００）と、音声通信管理サーバ装置（３００）と、に送信し、認証情報データベース（２０１）と、電話番号情報データベース（３０１）と、に設定情報を登録する。【０１６６】
これにより、設定情報登録装置（１００）は、無線端末装置（ＳＴＡ）が無線通信を行う際に必要な設定情報を認証情報データベース（２０１）と、電話番号情報データベース（３０１）と、に自動的に登録することが可能となる。また、設定情報登録装置（１００）は、任意に収集した識別情報の中から特定の無線端末装置（ＳＴＡ）固有の識別情報を抽出することで、設定情報を生成する際に不要な設定情報の生成を回避することが可能となる。【０１６７】
（第４の実施例）
次に、第４の実施例について説明する。【０１６８】
第４の実施例における無線通信システムは、初期値設定部（１０３）に設定されている『電話番号』を基に生成した無線端末装置（ＳＴＡ）固有の設定情報を変更する際に、同じ『電話番号』を用いて設定情報を変更することを特徴とする。【０１６９】
これにより、無線端末装置（ＳＴＡ）の所有者が一度取得した『電話番号』を変更することなく、設定情報を変更することが可能となる。以下、図１５を参照しながら、第４の実施例における無線通信システムについて説明する。【０１７０】
＜無線通信システムのシステム構成＞
第４の実施例における無線通信システムは、図１３に示す第３の実施例の無線通信システムと同様に構成する。【０１７１】
＜無線通信システムにおける一連の制御動作＞
次に、図１５を参照しながら、本実施例の無線通信システムにおける一連の制御動作について説明する。【０１７２】
まず、設定情報登録装置（１００）の操作部から管理者が設定情報の変更操作を行う。これにより、設定情報登録装置（１００）は、設定情報の変更を開始することになり、設定情報登録装置（１００）は、変更対象となる無線端末装置（ＳＴＡ）固有の識別情報の取得要求を識別情報取得装置（４００）に送信する（ステップＤ１）。【０１７３】
識別情報取得装置（４００）は、設定情報登録装置（１００）から識別情報の取得要求を受信すると、変更対象となる無線端末装置（ＳＴＡ）固有の識別情報を取得するように制御する（ステップＤ２）。そして、識別情報取得装置（４００）は、無線端末装置（ＳＴＡ）から取得した変更対象となる無線端末装置（ＳＴＡ）固有の識別情報を設定情報登録装置（１００）に送信する（ステップＤ３）。【０１７４】
設定情報登録装置（１００）は、識別情報取得装置（４００）から変更対象となる無線端末装置（ＳＴＡ）固有の識別情報を受信し、その受信した変更対象となる無線端末装置（ＳＴＡ）固有の識別情報を基に、設定情報管理部（１０２）に管理されている設定情報を検索し、識別情報取得装置（４００）から受信した無線端末装置（ＳＴＡ）固有の識別情報に関連付けられて設定情報管理部（１０２）に管理されている設定情報が存在するか否かを判断する（ステップＤ４）。【０１７５】
設定情報登録装置（１００）は、識別情報取得装置（４００）から受信した無線端末装置（ＳＴＡ）固有の識別情報に関連付けられて設定情報管理部（１０２）に管理されている設定情報が存在しないと判断した場合は（ステップＤ４／Ｎｏ）、設定情報登録装置（１００）は、設定情報変更の拒否制御を行い、処理を終了する（ステップＤ５）。【０１７６】
なお、設定情報変更の拒否制御としては、例えば、設定情報の変更ができない旨の設定情報変更の拒否通知を設定情報登録装置（１００）の表示部上に表示したり、設定情報変更の拒否通知を識別情報取得装置（４００）側に送信したりする制御方法が挙げられる。【０１７７】
また、設定情報登録装置（１００）は、識別情報取得装置（４００）から受信した無線端末装置（ＳＴＡ）固有の識別情報に関連付けられて設定情報管理部（１０２）に管理されている設定情報が存在すると判断した場合は（ステップＤ４／Ｙｅｓ）、設定情報登録装置（１００）は、新たな無線端末装置（ＳＴＡ）固有の識別情報の取得要求を識別情報取得装置（４００）に送信する（ステップＤ６）。【０１７８】
識別情報取得装置（４００）は、設定情報登録装置（１００）から識別情報の取得要求を受信すると、新たな無線端末装置（ＳＴＡ）固有の識別情報を取得するように制御する（ステップＤ７）。そして、識別情報取得装置（４００）は、無線端末装置（ＳＴＡ）から取得した新たな無線端末装置（ＳＴＡ）固有の識別情報を設定情報登録装置（１００）に送信する（ステップＤ８）。【０１７９】
設定情報登録装置（１００）は、識別情報取得装置（４００）から新たな無線端末装置（ＳＴＡ）固有の識別情報を受信し、その受信した新たな無線端末装置（ＳＴＡ）固有の識別情報を基に、新たな無線端末装置（ＳＴＡ）固有の設定情報を生成し、該生成した新たな無線端末装置（ＳＴＡ）固有の設定情報を設定情報管理部（１０２）に登録し、変更対象の無線端末装置（ＳＴＡ）固有の設定情報を更新することになる（ステップＤ９）。【０１８０】
この時、設定情報登録装置（１００）は、変更対象の無線端末装置（ＳＴＡ）が使用していた設定情報に含まれる電話番号と、識別情報取得装置（４００）から受信した新たな無線端末装置（ＳＴＡ）固有の識別情報と、を基に、新たな無線端末装置（ＳＴＡ）固有の設定情報を生成することになる。【０１８１】
これにより、設定情報登録装置（１００）は、変更対象の無線端末装置（ＳＴＡ）が使用していた設定情報に含まれる電話番号を再度利用して新たな無線端末装置（ＳＴＡ）固有の設定情報を生成することが可能となるため、電話番号を変更することなく、新たな無線端末装置（ＳＴＡ）固有の設定情報を生成することが可能となる。【０１８２】
なお、設定情報登録装置（１００）は、変更対象の無線端末装置（ＳＴＡ）が使用していた設定情報に含まれるパスワードは再度利用せず、新たなパスワードを生成するように制御する。これにより、変更対象の無線端末装置（ＳＴＡ）が設定情報を用いて無線ＬＡＮ認証サーバ装置（２００）に接続を試みてみても、認証情報データベース（２０１）に登録されている設定情報に含まれるパスワードが変更されることになるため、変更対象の無線端末装置（ＳＴＡ）は、無線ＬＡＮ認証サーバ装置（２００）に接続することができないようにすることが可能となる。【０１８３】
次に、設定情報登録装置（１００）は、上記生成した新たな無線端末装置（ＳＴＡ）固有の設定情報を無線ＬＡＮ認証サーバ装置（２００）に送信し、設定情報の登録要求を行い（ステップＤ１０）、無線ＬＡＮ認証サーバ装置（２００）は、設定情報登録装置（１００）から受信した設定情報を基に、無線通信の接続処理時に必要な認証情報を認証情報データベース（２０１）に登録し、設定情報の登録要求の応答を行うことになる（ステップＤ１１）。【０１８４】
この時、無線ＬＡＮ認証サーバ装置（２００）は、設定情報登録装置（１００）から受信した設定情報に含まれるユーザＩＤを基に、認証情報データベース（２０１）を検索し、設定情報登録装置（１００）から受信した設定情報に含まれるユーザＩＤと同一のユーザＩＤを含む認証情報を認証情報データベース（２０１）から取得する。【０１８５】
これにより、無線ＬＡＮ認証サーバ装置（２００）は、変更対象の無線端末装置（ＳＴＡ）に関する認証情報を認証情報データベース（２０１）から取得することが可能となる。そして、無線ＬＡＮ認証サーバ装置（２００）は、新たな無線端末装置（ＳＴＡ）に関する認証情報を認証情報データベース（２０１）に更新することになる。【０１８６】
また、設定情報登録装置（１００）は、上記生成した新たな無線端末装置（ＳＴＡ）固有の設定情報を音声通信管理サーバ装置（３００）に送信し、設定情報の登録要求を行い（ステップＤ１２）、音声通信管理サーバ装置（３００）は、設定情報登録装置（１００）から受信した設定情報を基に、音声通信の接続処理時に必要な電話番号情報を電話番号情報データベース（３０１）に登録し、設定情報の登録要求の応答を行うことになる（ステップＤ１３）。【０１８７】
この時、音声通信管理サーバ装置（３００）は、設定情報登録装置（１００）から受信した設定情報に含まれる電話番号を基に、電話番号情報データベース（３０１）を検索し、設定情報登録装置（１００）から受信した設定情報に含まれる電話番号と同一の電話番号を含む電話番号情報を電話番号情報データベース（３０１）から取得する。【０１８８】
これにより、音声通信管理サーバ装置（３００）は、変更対象の無線端末装置（ＳＴＡ）に関する電話番号情報を電話番号情報データベース（３０１）から取得することが可能となる。そして、音声通信管理サーバ装置（３００）は、新たな無線端末装置（ＳＴＡ）に関する電話番号情報を電話番号情報データベース（３０１）に更新することになる。【０１８９】
このように、設定情報登録装置（１００）は、変更対象の無線端末装置（ＳＴＡ）が使用していた設定情報に含まれる電話番号と、新たな無線端末装置（ＳＴＡ）固有の識別情報と、を基に、新たな無線端末装置（ＳＴＡ）固有の設定情報を生成する。これにより、設定情報登録装置（１００）は、変更対象の無線端末装置（ＳＴＡ）が使用していた設定情報に含まれる電話番号を再度利用して新たな無線端末装置（ＳＴＡ）固有の設定情報を生成することが可能となるため、電話番号を変更することなく、新たな無線端末装置（ＳＴＡ）固有の設定情報を生成することが可能となる。このため、電話番号の有効利用を図ることが可能となる。【０１９０】
なお、上述する実施例は、本発明の好適な実施例であり、上記実施例のみに本発明の範囲を限定するものではなく、本発明の要旨を逸脱しない範囲において当業者が上記実施例の修正や代用を行い、種々の変更を施した形態を構築することが可能である。【０１９１】
例えば、上述した実施例の無線通信システムにおいて、無線端末装置（ＳＴＡ）が設定専用のＳＳＩＤ（Service Set Identifier）を用いて無線基地局（ＡＰ）を介して設定情報登録装置（１００）と接続する際の判断条件は、上述した実施例で説明したものに限定するものではなく、あらゆる条件とトリガーとし、設定専用のＳＳＩＤ（Service Set Identifier）を用いて無線基地局（ＡＰ）を介して設定情報登録装置（１００）と接続するように構築することが可能である。【０１９２】
また、無線ＬＡＮ認証サーバ装置（２００）、音声通信管理サーバ装置（３００）等の無線制御装置が複数台存在する場合には、初期値設定部（１０３）に設定されている電話番号の範囲を各々の無線制御装置毎に区分けし、各無線制御装置毎に使用する電話番号の範囲を異ならせるように構築することも可能である。【０１９３】
例えば、初期値設定部（１０３）に設定されている電話番号：３０００〜３０９９番台までは、第１の無線制御装置に設定情報を登録する際に使用し、電話番号：３１００〜３１９９番台までは、第２の無線制御装置に設定情報を登録する際に使用するように制御し、各無線制御装置毎に使用する電話番号の範囲を異ならせるようにする方法が挙げられる。【０１９４】
また、上述した実施例の無線通信システムを構成する無線基地局（ＡＰ）、無線端末装置（ＳＴＡ）、設定情報登録装置（１００）、識別情報取得装置（４００）等の制御装置における制御動作は、ハードウェア、または、ソフトウェア、あるいは、両者の複合構成によって実行することも可能である。【０１９５】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。【０１９６】
例えば、プログラムは、記録媒体としてのハードディスクやＲＯＭ（Read Only Memory）に予め記録しておくことが可能である。あるいは、プログラムは、フロッピーディスク（登録商標）、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的、あるいは、永続的に格納（記録）しておくことが可能である。【０１９７】
このようなリムーバブル記録媒体は、いわゆるパッケージソフトウエアとして提供することが可能である。【０１９８】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送したりし、コンピュータでは、転送されてきたプログラムを受信し、内蔵するハードディスク等の記録媒体にインストールすることが可能である。【０１９９】
また、上記実施例で説明した処理動作に従って時系列的に実行されるのみならず、処理を実行する装置の処理能力、あるいは、必要に応じて並列的にあるいは個別に実行するように構築することも可能である。【０２００】
また、上記実施例で説明した無線通信システムは、複数の装置の論理的集合構成にしたり、各装置の機能を混在させたりするように構築することも可能である。【０２０１】
以上の実施例の説明より、本実施例は、以下の特徴を有することになる。【０２０２】
本実施例における設定情報登録装置は、
無線装置が無線通信を行う際に必要な設定情報を、前記無線装置の無線通信を制御する無線制御装置に登録する設定情報登録装置であって、
不特定の装置固有の識別情報を任意に収集する識別情報収集手段と、
前記識別情報収集手段により任意に収集した識別情報の中から特定の無線装置固有の識別情報を抽出する識別情報抽出手段と、
前記識別情報抽出手段により抽出した識別情報を基に、前記設定情報を生成し、該生成した設定情報を、前記無線制御装置に登録する設定情報登録手段と、
を有することを特徴とする。【０２０３】
また、本実施例における設定情報登録装置は、
特定の無線装置固有の識別情報を特定するための抽出条件を管理する抽出条件管理手段を有し、
前記識別情報抽出手段は、
前記識別情報収集手段により任意に収集した識別情報の中から前記抽出条件に該当する識別情報を抽出し、特定の無線装置固有の識別情報を抽出することを特徴とする。【０２０４】
また、本実施例における設定情報登録装置は、
前記抽出条件を設定する抽出条件設定手段を有することを特徴とする。【０２０５】
また、本実施例における設定情報登録装置において、
前記抽出条件設定手段は、
前記設定情報登録装置と接続された通信装置から前記抽出条件を取得し、該取得した抽出条件を設定することを特徴とする。【０２０６】
また、本実施例における設定情報登録装置は、
電話番号を管理する電話番号管理手段を有し、
前記設定情報登録手段は、
前記識別情報抽出手段により抽出した識別情報と、前記電話番号管理手段に管理されている電話番号と、を基に、前記設定情報を生成することを特徴とする。【０２０７】
また、本実施例における設定情報登録装置において、
前記設定情報登録手段は、
前記電話番号管理手段に管理されている電話番号の中から任意の電話番号を選出し、該選出した任意の電話番号と、前記識別情報と、を基に、前記設定情報を生成することを特徴とする。【０２０８】
また、本実施例における設定情報登録装置は、
前記電話番号管理手段に管理されている電話番号の中から任意に選出した電話番号の情報を管理する選出電話番号管理手段を有し、
前記設定情報登録手段は、
前記選出電話番号管理手段に管理されている前記情報を基に、前記電話番号管理手段に管理されている電話番号の中から既に選出した電話番号以外の他の電話番号を選出し、該選出した電話番号と、前記識別情報と、を基に、前記設定情報を生成することを特徴とする。【０２０９】
また、本実施例における設定情報登録装置は、
前記選出電話番号管理手段に管理されている前記情報を削除する削除手段を有することを特徴とする。【０２１０】
また、本実施例における設定情報登録装置は、
前記設定情報の変更要求を受け付ける変更要求受付手段と、
前記変更要求を受け付けた場合に、新たな無線装置固有の識別情報を取得する新規識別情報取得手段と、
を有し、
前記設定情報登録手段は、
前記新規識別情報取得手段により取得した識別情報を基に、前記設定情報を生成し、該生成した設定情報を、前記無線制御装置に登録することを特徴とする。【０２１１】
また、本実施例における設定情報登録装置は、
前記識別情報抽出手段により抽出した識別情報と、前記設定情報と、を関連づけて管理する設定情報管理手段と、
前記変更要求を受け付けた場合に、変更対象の無線装置固有の識別情報を取得する変更識別情報取得手段と、
を有し、
前記新規識別情報取得手段は、
前記変更識別情報取得手段により取得した識別情報が、前記設定情報管理手段に管理されている識別情報に該当する場合に、新たな無線装置固有の識別情報を取得することを特徴とする。【０２１２】
また、本実施例における設定情報登録装置において、
前記無線制御装置は、
前記無線装置の無線通信を容認するか否かを判断する無線認証装置と、前記無線装置の音声通信を容認するか否かを判断する音声通信管理装置と、の少なくとも１つの制御装置であり、
前記認証情報登録手段は、
前記無線認証装置と、前記音声通信管理装置と、の少なくとも１つの制御装置に対し、前記設定情報を登録することを特徴とする。【０２１３】
また、本実施例における設定情報登録装置は、
前記無線装置と前記無線認証装置との無線接続を容認するか否かを判断する際に使用するパスワードを生成するパスワード生成手段と、
前記無線装置が前記無線認証装置から認証許可を受け付ける際に使用するユーザＩＤを生成するユーザＩＤ生成手段と、
を有し、
前記設定情報登録手段は、
前記パスワードと前記ユーザＩＤとを含む前記設定情報を、前記無線認証装置に登録することを特徴とする。【０２１４】
また、本実施例における無線通信システムは、
無線装置と、前記無線装置の無線通信を制御する無線制御装置と、前記無線装置が無線通信を行う際に必要な設定情報を前記無線制御装置に登録する設定情報登録装置と、を有して構成する無線通信システムであって、
前記設定情報登録装置は、
不特定の装置固有の識別情報を任意に収集する識別情報収集手段と、
前記識別情報収集手段により任意に収集した識別情報の中から特定の無線装置固有の識別情報を抽出する識別情報抽出手段と、
前記識別情報抽出手段により抽出した識別情報を基に、前記設定情報を生成し、該生成した設定情報を、前記無線制御装置に登録する設定情報登録手段と、
を有することを特徴とする。【０２１５】
また、本実施例における無線通信システムにおいて、
前記設定情報登録装置は、
前記特定の無線装置固有の識別情報を特定するための抽出条件を管理する抽出条件管理手段を有し、
前記識別情報抽出手段は、
前記識別情報収集手段により任意に収集した識別情報の中から前記抽出条件に該当する識別情報を抽出し、特定の無線装置固有の識別情報を抽出することを特徴とする。【０２１６】
また、本実施例における無線通信システムにおいて、
前記設定情報登録装置は、
前記抽出条件を設定する抽出条件設定手段を有することを特徴とする。【０２１７】
また、本実施例における無線通信システムにおいて、
前記抽出条件設定手段は、
前記設定情報登録装置と接続された通信装置から前記抽出条件を取得し、該取得した抽出条件を設定することを特徴とする。【０２１８】
また、本実施例における無線通信システムにおいて、
前記設定情報登録装置は、
電話番号を管理する電話番号管理手段を有し、
前記設定情報登録手段は、
前記識別情報抽出手段により抽出した識別情報と、前記電話番号管理手段に管理されている電話番号と、を基に、前記設定情報を生成することを特徴とする。【０２１９】
また、本実施例における無線通信システムにおいて、
前記設定情報登録手段は、
前記電話番号管理手段に管理されている電話番号の中から任意の電話番号を選出し、該選出した任意の電話番号と、前記識別情報と、を基に、前記設定情報を生成することを特徴とする。【０２２０】
また、本実施例における無線通信システムにおいて、
前記設定情報登録装置は、
前記電話番号管理手段に管理されている電話番号の中から任意に選出した電話番号の情報を管理する選出電話番号管理手段を有し、
前記設定情報登録手段は、
前記選出電話番号管理手段に管理されている前記情報を基に、前記電話番号管理手段に管理されている電話番号の中から既に選出した電話番号以外の他の電話番号を選出し、該選出した電話番号と、前記識別情報と、を基に、前記設定情報を生成することを特徴とする。【０２２１】
また、本実施例における無線通信システムにおいて、
前記設定情報登録装置は、
前記選出電話番号管理手段に管理されている前記情報を削除する削除手段を有することを特徴とする。【０２２２】
また、本実施例における無線通信システムにおいて、
前記設定情報登録装置は、
前記設定情報の変更要求を受け付ける変更要求受付手段と、
前記変更要求を受け付けた場合に、新たな無線装置固有の識別情報を取得する新規識別情報取得手段と、
を有し、
前記設定情報登録手段は、
前記新規識別情報取得手段により取得した識別情報を基に、前記設定情報を生成し、該生成した設定情報を、前記無線制御装置に登録することを特徴とする。【０２２３】
また、本実施例における無線通信システムにおいて、
前記設定情報登録装置は、
前記識別情報抽出手段により抽出した識別情報と、前記設定情報と、を関連づけて管理する設定情報管理手段と、
前記変更要求を受け付けた場合に、変更対象の無線装置固有の識別情報を取得する変更識別情報取得手段と、
を有し、
前記新規識別情報取得手段は、
前記変更識別情報取得手段により取得した識別情報が、前記設定情報管理手段に管理されている識別情報に該当する場合に、新たな無線装置固有の識別情報を取得することを特徴とする。【０２２４】
また、本実施例における無線通信システムにおいて、
前記無線制御装置は、
前記無線装置の無線通信を容認するか否かを判断する無線認証装置と、前記無線装置の音声通信を容認するか否かを判断する音声通信管理装置と、の少なくとも１つの制御装置であり、
前記認証情報登録手段は、
前記無線認証装置と、前記音声通信管理装置と、の少なくとも１つの制御装置に対し、前記設定情報を登録することを特徴とする。【０２２５】
また、本実施例における無線通信システムにおいて、
前記設定情報登録装置は、
前記無線装置と前記無線認証装置との無線接続を容認するか否かを判断する際に使用するパスワードを生成するパスワード生成手段と、
前記無線装置が前記無線認証装置から認証許可を受け付ける際に使用するユーザＩＤを生成するユーザＩＤ生成手段と、
を有し、
前記設定情報登録手段は、
前記パスワードと前記ユーザＩＤとを含む前記設定情報を、前記無線認証装置に登録することを特徴とする。【０２２６】
また、本実施例における設定情報登録方法は、
無線装置が無線通信を行う際に必要な設定情報を、前記無線装置の無線通信を制御する無線制御装置に登録する設定情報登録装置が行う設定情報登録方法であって、
不特定の装置固有の識別情報を任意に収集する識別情報収集工程と、
前記識別情報収集工程により任意に収集した識別情報の中から特定の無線装置固有の識別情報を抽出する識別情報抽出工程と、
前記識別情報抽出工程により抽出した識別情報を基に、前記設定情報を生成し、該生成した設定情報を、前記無線制御装置に登録する設定情報登録工程と、
を、前記設定情報登録装置が行うことを特徴とする。【０２２７】
また、本実施例における設定情報登録方法において、
前記設定情報登録装置は、
特定の無線装置固有の識別情報を特定するための抽出条件を管理する抽出条件管理手段を有し、
前記識別情報抽出工程は、
前記識別情報収集工程により任意に収集した識別情報の中から前記抽出条件に該当する識別情報を抽出し、特定の無線装置固有の識別情報を抽出することを特徴とする。【０２２８】
また、本実施例における設定情報登録プログラムは、
無線装置が無線通信を行う際に必要な設定情報を、前記無線装置の無線通信を制御する無線制御装置に登録する設定情報登録装置において実行させる設定情報登録プログラムであって、
不特定の装置固有の識別情報を任意に収集する識別情報収集処理と、
前記識別情報収集処理により任意に収集した識別情報の中から特定の無線装置固有の識別情報を抽出する識別情報抽出処理と、
前記識別情報抽出処理により抽出した識別情報を基に、前記設定情報を生成し、該生成した設定情報を、前記無線制御装置に登録する設定情報登録処理と、
を、前記設定情報登録装置に実行させることを特徴とする。【０２２９】
また、本実施例における設定情報登録プログラムにおいて、
前記設定情報登録装置は、
特定の無線装置固有の識別情報を特定するための抽出条件を管理する抽出条件管理手段を有し、
前記識別情報抽出処理は、
前記識別情報収集処理により任意に収集した識別情報の中から前記抽出条件に該当する識別情報を抽出し、特定の無線装置固有の識別情報を抽出することを特徴とする。【０２３０】
なお、この出願は、２００６年８月４日に出願した、日本特許出願番号２００６−２１３７４４号を基礎とする優先権を主張し、その開示の全てをここに取り込む。
【産業上の利用可能性】
【０２３１】
本発明にかかる設定情報登録装置、無線通信システム、設定情報登録方法及び設定情報登録プログラムは、無線端末装置固有の設定情報を自動生成する際に適用可能であり、特に、無線通信の運用開始時に、無線通信を行う際に必要な設定情報を自動生成する際に好適である。
【図面の簡単な説明】
【０２３２】
【図１】本発明と関連する無線通信システムのシステム構成を示す図である。
【図２】本実施例における無線通信システムのシステム構成例を示す図である。
【図３】本実施例の無線通信システムを構成する無線端末装置（ＳＴＡ）の内部構成例を示す図である。
【図４】無線端末装置（ＳＴＡ）内の設定情報管理テーブル（１７）のテーブル構成例を示す図である。
【図５】本実施例の無線通信システムを構成する無線基地局（ＡＰ）の内部構成例を示す図である。
【図６】第１の実施例の無線通信システムを構成する設定情報登録装置（１００）内の設定情報管理部（１０２）において設定情報を管理する際のテーブル構成例を示す図である。
【図７】第１の実施例の無線通信システムにおける制御動作を示すシーケンスチャートである。
【図８】第２の実施例の無線通信システムにおける制御動作を示すシーケンスチャートである。
【図９】第２の実施例の無線通信システムを構成する設定情報登録装置（１００）内の設定情報管理部（１０２）において設定情報を管理する際のテーブル構成例を示す図である。
【図１０】第２の実施例の無線通信システムにおける他の制御動作を示すシーケンスチャートである。
【図１１】設定情報管理テーブル（１７）で管理されている設定情報の登録状況を表示部（１４）上に表示した際の表示例を示す図である。
【図１２】無線端末装置（ＳＴＡ）内の設定情報管理テーブル（１７）のテーブル構成例を示す図である。
【図１３】第３の実施例における無線通信システムのシステム構成例を示す図である。
【図１４】第３の実施例の無線通信システムにおける制御動作を示すシーケンスチャートである。
【図１５】第４の実施例の無線通信システムにおける制御動作を示すシーケンスチャートである。
【符号の説明】
【０２３３】
ＳＴＡ    無線端末装置
ＡＰ    無線基地局
ＮＷ    ネットワーク
１１、２１    通信部
１２、２２    制御部
１３、２３    記憶部
１４    表示部
１５    操作部
１６、２４    アンテナ
１７    設定情報管理テーブル
１００    設定情報登録装置
１０１    通信制御部
１０２    設定情報管理部
１０３    初期値設定部
１０４    設定情報生成部
２００    無線ＬＡＮ認証サーバ装置
２０１    認証情報データベース
３００    音声通信管理サーバ装置
３０１    電話番号情報データベース
４００    識別情報取得装置
【図１】
2008015866.tif 000003
【図２】
2008015866.tif 000004
【図３】
2008015866.tif 000005
【図４】
2008015866.tif 000006
【図５】
2008015866.tif 000007
【図６】
2008015866.tif 000008
【図７】
2008015866.tif 000009
【図８】
2008015866.tif 000010
【図９】
2008015866.tif 000011
【図１０】
2008015866.tif 000012
【図１１】
2008015866.tif 000013
【図１２】
2008015866.tif 000014
【図１３】
2008015866.tif 000015
【図１４】
2008015866.tif 000016
【図１５】
2008015866.tif 000017
【国際調査報告】
2008015866.tif 000018
2008015866.tif 000019
2008015866.tif 000020
2008015866.tif 000021